(57)【要約】【課題】搬送時における用紙束の重ね合わせ状態の乱れを防止しつつ搬送性能を維持する。【解決手段】用紙に折り目を形成する折り部３２０と、折り目が形成された前記用紙が複数枚重ね合わされた用紙束を載置部により搬送する用紙束搬送部３５０と、前記用紙束搬送部により搬送される前記用紙束を前記載置部に対して押さえる用紙束押さえ部３６０と、前記用紙束搬送部による前記用紙束の搬送速度である用紙束搬送速度を該用紙束の状態に基づいて決定すると共に前記用紙束押さえ部による押さえの有無を決定する制御部１０１と、を有する。【選択図】図１
2013216449.tif 000002
【特許請求の範囲】
【請求項１】
用紙に折り目を形成する折り部と、
折り目が形成された前記用紙が複数枚重ね合わされた用紙束を載置部により搬送する用紙束搬送部と、
前記用紙束搬送部により搬送される前記用紙束を前記載置部に対して押さえる用紙束押さえ部と、
前記用紙束搬送部による前記用紙束の搬送速度である用紙束搬送速度を該用紙束の状態に基づいて決定すると共に前記用紙束押さえ部による押さえの有無を決定する制御部と、
を有する用紙処理装置。
【請求項２】
前記用紙束搬送部は、前記用紙の折り目の劣角の部分を前記載置部により支えた状態で前記用紙束を搬送し、
前記用紙束押さえ部は、前記載置部に載置される前記用紙束の搬送に伴って、該搬送中に前記用紙束を前記載置部に対して押さえる、
ことを特徴とする請求項１記載の用紙処理装置。
【請求項３】
前記制御部は、前記用紙束を構成する前記用紙の枚数と斤量と紙サイズを参照して、前記用紙束搬送速度を決定する、
ことを特徴とする請求項１−２に記載の用紙処理装置。
【請求項４】
前記制御部は、前記用紙束搬送速度に応じて定まる前記用紙束搬送部の往復に要する搬送必要時間と、前記用紙束を構成する枚数の前記用紙が前記用紙束搬送部に供給されてくる時間としての搬送時間間隔とを求め、前記搬送必要時間が前記搬送時間間隔よりも大きい場合に、前記用紙束押さえ部により前記用紙束を押さえるよう制御すると共に、前記用紙束搬送速度を高速側の前記高速用紙束搬送速度に変更する、
ことを特徴とする請求項１−３のいずれか一項に記載の用紙処理装置。
【請求項５】
前記制御部は、
前記用紙束搬送速度に応じて定まる前記用紙束搬送部の往復に要する搬送必要時間と、前記用紙束を構成する枚数の前記用紙が前記用紙束搬送部に供給されてくる時間としての搬送時間間隔とを求め、
前記搬送必要時間が前記搬送時間間隔よりも大きい場合には、前記用紙束搬送速度を高速側の前記高速用紙束搬送速度に変更した場合における前記用紙束搬送部の往復に要する高速搬送必要時間を求め、
前記高速搬送必要時間が前記搬送時間間隔よりも大きい場合には、前記搬送必要時間と前記高速搬送必要時間とを比較していずれか小さい方を求め、
前記搬送必要時間が前記高速搬送必要時間より小さい場合には、前記用紙束搬送速度で前記用紙束搬送部により前記用紙束を搬送するように制御し、
前記高速搬送必要時間が前記用紙束搬送必要時間より小さい場合には、前記押さえ部により前記用紙束を抑えつつ前記前記高速用紙束搬送速度で前記用紙束搬送部により前記用紙束を搬送するように制御する、
ことを特徴とする請求項１−３のいずれか一項に記載の用紙処理装置。
【請求項６】
前記制御部は、用紙処理において前記用紙束の品質を重視する設定、あるいは、用紙処理において前記用紙束の処理時の静音性を重視する設定のいずれかである場合には、前記用紙押さえ部の押さえを実行しないよう制御する、
ことを特徴とする請求項１−５のいずれか一項に記載の用紙処理装置。
【請求項７】
前記制御部は、用紙処理において前記用紙束の品質を重視する設定、あるいは、用紙処理において前記用紙束の処理時の静音性を重視する設定のいずれもが設定されていない場合に、前記用紙押さえ部の押さえを実行するよう制御する、
ことを特徴とする請求項１−６のいずれか一項に記載の用紙処理装置。
【請求項８】
用紙に折り目を形成する折り部と、折り目が形成された前記用紙が複数枚重ね合わされた用紙束を載置部により搬送する用紙束搬送部と、前記用紙束搬送部により搬送される前記用紙束を前記載置部に対して押さえる用紙束押さえ部と、を備える用紙処理装置の制御方法であって、
前記用紙束搬送部による前記用紙束の搬送速度である用紙束搬送速度を該用紙束の状態に基づいて決定すると共に、前記用紙束押さえ部による押さえの有無を決定し、
前記用紙束押さえ部によって前記用紙束を押さえることなく前記用紙束搬送部が前記用紙束搬送速度で前記用紙束を搬送するか、あるいは、前記用紙束押さえ部により前記用紙束を押さえつつ前記用紙束搬送部が前記用紙束搬送速度より高速な高速用紙束搬送速度で前記用紙束を搬送するかを切り替える、
用紙処理装置制御方法。
【請求項９】
前記用紙束搬送速度に応じて定まる前記用紙束搬送部の往復に要する搬送必要時間と、前記用紙束を構成する枚数の前記用紙が前記用紙束搬送部に供給されてくる時間としての搬送時間間隔とを求め、前記搬送必要時間が前記搬送時間間隔よりも大きい場合に、前記用紙束押さえ部により前記用紙束を押さえるよう制御すると共に、前記用紙束搬送速度を高速側の高速用紙束搬送速度に変更する、
ことを特徴とする請求項８に記載の用紙処理装置制御方法。
【請求項１０】
用紙に折り目を形成する折り部と、折り目が形成された前記用紙が複数枚重ね合わされた用紙束を載置部により搬送する用紙束搬送部と、前記用紙束搬送部により搬送される前記用紙束を前記載置部に対して押さえる用紙束押さえ部と、を備える用紙処理装置の制御方法であって、
前記用紙束搬送部による前記用紙束の搬送速度である用紙束搬送速度を該用紙束の状態に基づいて決定し、
前記用紙束搬送速度に応じて定まる前記用紙束搬送部の往復に要する搬送必要時間と、前記用紙束を構成する枚数の前記用紙が前記用紙束搬送部に供給されてくる時間としての搬送時間間隔とを求め、
前記搬送必要時間が前記搬送時間間隔よりも大きい場合に、前記用紙束搬送速度を高速側の高速用紙束搬送速度に変更し、前記用紙束押さえ部により前記用紙束を押さえつつ、前記用紙束搬送部が前記高速用紙束搬送速度で前記用紙束を搬送するよう制御する、
用紙処理装置制御方法。
【請求項１１】
前記用紙束搬送速度に応じて定まる前記用紙束搬送部の往復に要する搬送必要時間と、前記用紙束を構成する枚数の前記用紙が前記用紙束搬送部に供給されてくる時間としての搬送時間間隔とを求め、
前記搬送必要時間が前記搬送時間間隔よりも大きい場合には、前記用紙束搬送速度を高速側の高速用紙束搬送速度に変更した場合における前記用紙束搬送部の往復に要する高速搬送必要時間を求め、
前記高速搬送必要時間が前記搬送時間間隔よりも大きい場合には、前記搬送必要時間と前記高速搬送必要時間とを比較していずれか小さい方を求め、
前記搬送必要時間が前記高速搬送必要時間より小さい場合には、前記用紙束搬送速度で前記用紙束搬送部により前記用紙束を搬送するように制御し、
前記高速搬送必要時間が前記用紙束搬送必要時間より小さい場合には、前記押さえ部により前記用紙束を抑えつつ前記高速用紙束搬送速度で前記用紙束搬送部により前記用紙束を搬送するように制御する、
ことを特徴とする請求項８−１０のいずれか一項に記載の用紙処理装置制御方法。
【請求項１２】
用紙処理において前記用紙束の品質を重視する設定、あるいは、用紙処理において前記用紙束の処理時の静音性を重視する設定のいずれかである場合には、前記用紙押さえ部の押さえを実行しないよう制御する、
ことを特徴とする請求項８−１１のいずれか一項に記載の用紙処理装置制御方法。
【請求項１３】
用紙処理において前記用紙束の品質を重視する設定、あるいは、用紙処理において前記用紙束の処理時の静音性を重視する設定のいずれもが設定されていない場合に、前記用紙押さえ部の押さえを実行するよう制御する、
ことを特徴とする請求項８−１２のいずれか一項に記載の用紙処理装置制御方法。
【発明の詳細な説明】
【技術分野】
【０００１】
本発明は、折り目が形成された用紙束を搬送する用紙処理装置及びその制御方法に関する。
【背景技術】
【０００２】
画像形成装置において各種の用紙処理装置を接続することで、さまざまな製本処理が可能になり、印刷装置として使用することができる。
【０００３】
このような印刷装置の用紙処理装置では、用紙の中央で用紙を中折りにして、更にこの中折り状態の用紙を重ね合わせて用紙束として、その用紙束の折り目部分にステープル処理をして週刊誌のような形状の中綴じ製本が可能である。また、ステープル処理をせずに中折り状態で重ね合わされた状態の用紙束として出力することも可能である。
【０００４】
このような用紙処理装置では、画像形成装置の生産性（用紙の出力タイミング）に合わせて、中折り状態で重ね合わされた状態の用紙束や、中折り綴じされた状態の用紙束を、遅滞なく搬送する必要がある。近年は画像形成装置の生産性が向上しているため、用紙処理装置内部でも。このような用紙束をできるだけ速く搬送する必要が生じている。
【０００５】
しかしながら、できるだけ速く搬送しようとすると、搬送する際に受ける風圧で用紙束の重ね合わせ状態が乱れたり、あるいは落下したりといったことが発生しやすくなる。
【０００６】
なお、このような用紙束の搬送時の乱れについては、以下の特許文献にも提案がなされている。
【先行技術文献】
【特許文献】
【０００７】
【特許文献１】特開２００５−３２４９３２号公報
【発明の概要】
【発明が解決しようとする課題】
【０００８】
以上の特許文献１では、用紙束を搬送する際に摩擦部材で用紙束を押さえつけるようにしている。更に、用紙束のサイズ（体積）に応じて摩擦部材の形状や押さえ強さを変更して、用紙束の乱れが生じないようにしている。
【０００９】
しかし、このような摩擦部材による押さえを実行すると、押さえ実行時と押さえ解除時とに所定の時間が必要となり、画像形成装置の生産性に合わせて速く搬送しようとする意図に反する結果となる。
【００１０】
本発明はこのような課題に鑑みてなされたものであって、搬送時における用紙束の重ね合わせ状態の乱れを防止しつつ搬送性能を維持することが可能な用紙処理装置及びその制御方法を提供することを目的とする。
【課題を解決するための手段】
【００１１】
（１）以上の課題を解決する用紙処理装置は、用紙に折り目を形成する折り部と、折り目が形成された前記用紙が複数枚重ね合わされた用紙束を載置部により搬送する用紙束搬送部と、前記用紙束搬送部により搬送される前記用紙束を前記載置部に対して押さえる用紙束押さえ部と、前記用紙束搬送部による前記用紙束の搬送速度である用紙束搬送速度を該用紙束の状態に基づいて決定すると共に前記用紙束押さえ部による押さえの有無を決定する制御部と、を有する。
【００１２】
また、以上の課題を解決する用紙処理装置制御方法は、用紙に折り目を形成する折り部と、折り目が形成された前記用紙が複数枚重ね合わされた用紙束を載置部により搬送する用紙束搬送部と、前記用紙束搬送部により搬送される前記用紙束を前記載置部に対して押さえる用紙束押さえ部と、を備える用紙処理装置の制御方法であって、前記用紙束搬送部による前記用紙束の搬送速度である用紙束搬送速度を該用紙束の状態に基づいて決定すると共に、前記用紙束押さえ部による押さえの有無を決定し、前記用紙束押さえ部によって前記用紙束を押さえることなく前記用紙束搬送部が前記用紙束搬送速度で前記用紙束を搬送するか、あるいは、前記用紙束押さえ部により前記用紙束を押さえつつ前記用紙束搬送部が前記用紙束搬送速度より高速な高速用紙束搬送速度で前記用紙束を搬送するかを切り替える。
【００１３】
（２）以上の（１）の用紙処理装置において、前記用紙束搬送部は、前記用紙の折り目の劣角の部分を前記載置部により下から支えた状態で前記用紙束を搬送し、前記用紙束押さえ部は、前記載置部に載置される前記用紙束の搬送に伴って、該搬送中に前記用紙束を上から前記載置部に対して押さえる。
【００１４】
（３）以上の（１）〜（２）の用紙処理において、前記用紙束を構成する前記用紙の枚数と斤量と紙サイズを参照して、前記用紙束搬送速度を決定する。
【００１５】
（４）以上の（１）〜（３）の用紙処理において、前記用紙束搬送速度に応じて定まる前記用紙束搬送部の往復に要する搬送必要時間と、前記用紙束を構成する枚数の前記用紙が前記用紙束搬送部に供給されてくる時間としての搬送時間間隔とを求め、前記搬送必要時間が前記搬送時間間隔よりも大きい場合に、前記用紙束押さえ部により前記用紙束を押さえるよう制御すると共に、前記用紙束搬送速度を高速側の前記高速用紙束搬送速度に変更する。
【００１６】
（５）また、以上の課題を解決する用紙処理装置制御方法は、用紙に折り目を形成する折り部と、折り目が形成された前記用紙が複数枚重ね合わされた用紙束を載置部により搬送する用紙束搬送部と、前記用紙束搬送部により搬送される前記用紙束を前記載置部に対して押さえる用紙束押さえ部と、を備える用紙処理装置の制御方法であって、前記用紙束搬送部による前記用紙束の搬送速度である用紙束搬送速度を該用紙束の状態に基づいて決定し、前記用紙束搬送速度に応じて定まる前記用紙束搬送部の往復に要する搬送必要時間と、前記用紙束を構成する枚数の前記用紙が前記用紙束搬送部に供給されてくる時間としての搬送時間間隔とを求め、前記搬送必要時間が前記搬送時間間隔よりも大きい場合に、前記用紙束搬送速度を高速側の高速用紙束搬送速度に変更し、前記用紙束押さえ部により前記用紙束を押さえつつ、前記用紙束搬送部が前記高速用紙束搬送速度で前記用紙束を搬送するよう制御する。
【００１７】
（６）以上の（１）〜（５）の用紙処理において、前記用紙束搬送速度に応じて定まる前記用紙束搬送部の往復に要する搬送必要時間と、前記用紙束を構成する枚数の前記用紙が前記用紙束搬送部に供給されてくる時間としての搬送時間間隔とを求め、前記搬送必要時間が前記搬送時間間隔よりも大きい場合には、前記用紙束搬送速度を高速側の前記高速用紙束搬送速度に変更した場合における前記用紙束搬送部の往復に要する高速搬送必要時間を求め、前記高速搬送必要時間が前記搬送時間間隔よりも大きい場合には、前記搬送必要時間と前記高速搬送必要時間とを比較していずれか小さい方を求め、前記搬送必要時間が前記高速搬送必要時間より小さい場合には、前記用紙束搬送速度で前記用紙束搬送部により前記用紙束を搬送するように制御し、前記高速搬送必要時間が前記用紙束搬送必要時間より小さい場合には、前記押さえ部により前記用紙束を抑えつつ前記前記高速用紙束搬送速度で前記用紙束搬送部により前記用紙束を搬送するように制御する。
【００１８】
（７）以上の（１）〜（６）の用紙処理において、用紙処理において前記用紙束の品質を重視する設定、あるいは、用紙処理において前記用紙束の処理時の静音性を重視する設定のいずれかである場合には、前記用紙押さえ部の押さえを実行しないよう制御する。
【００１９】
（８）以上の（１）〜（７）の用紙処理において、用紙処理において前記用紙束の品質を重視する設定、あるいは、用紙処理において前記用紙束の処理時の静音性を重視する設定のいずれもが設定されていない場合に、前記用紙押さえ部の押さえを実行するよう制御する。
【発明の効果】
【００２０】
以上の用紙処理装置と用紙処理装置制御方法では、用紙束搬送部による用紙束の搬送速度である用紙束搬送速度を該用紙束（を構成する用紙）の状態に基づいて決定すると共に、用紙束押さえ部による押さえの有無を決定し、用紙束押さえ部によって用紙束を押さえることなく用紙束搬送部が用紙束搬送速度で用紙束を搬送するか、あるいは、用紙束押さえ部により用紙束を押さえつつ用紙束搬送部が用紙束搬送速度より高速な高速用紙束搬送速度で用紙束を搬送するかを切り替える。これにより、搬送時における用紙束の重ね合わせ状態の乱れを防止しつつ、搬送性能を維持することが可能になる。
【００２１】
また、用紙束搬送速度に応じて定まる用紙束搬送部の往復に要する搬送必要時間と、用紙束を構成する枚数の用紙が用紙束搬送部に供給されてくる時間としての搬送時間間隔とを求め、搬送必要時間が搬送時間間隔よりも大きい場合に、用紙束押さえ部により用紙束を押さえるよう制御すると共に、用紙束搬送速度を高速側の高速用紙束搬送速度に変更する。これにより、搬送時における用紙束の重ね合わせ状態の乱れを防止しつつ、確実に、搬送性能を維持することが可能になる。
【００２２】
また、用紙束搬送速度に応じて定まる用紙束搬送部の往復に要する搬送必要時間と、用紙束を構成する枚数の用紙が用紙束搬送部に供給されてくる時間としての搬送時間間隔とを求め、搬送必要時間が搬送時間間隔よりも大きい場合には、用紙束搬送速度を高速側の高速用紙束搬送速度に変更した場合における用紙束搬送部の往復に要する高速搬送必要時間を求め、高速搬送必要時間が搬送時間間隔よりも大きい場合には、搬送必要時間と高速搬送必要時間とを比較していずれか小さい方を求め、搬送必要時間が高速搬送必要時間より小さい場合には、用紙束搬送速度で用紙束搬送部により用紙束を搬送するように制御し、高速搬送必要時間が用紙束搬送必要時間より小さい場合には、押さえ部により用紙束を抑えつつ高速用紙束搬送速度で用紙束搬送部により用紙束を搬送するように制御する。これにより、搬送時における用紙束の重ね合わせ状態の乱れを防止しつつ、可能な範囲で、搬送性能を維持することが可能になる。
【００２３】
また、品質を重視する設定、あるいは、静音性を重視する設定のいずれかである場合には、用紙押さえ部の押さえを実行しないよう制御し、品質を重視する設定、あるいは、静音性を重視する設定のいずれもが設定されていない場合に、用紙押さえ部の押さえを実行するよう制御する。これにより、搬送時における用紙束の重ね合わせ状態の乱れを防止しつつ、可能な範囲で、搬送性能を維持することが可能になる。
【図面の簡単な説明】
【００２４】
【図１】本発明の実施形態の用紙処理装置の構成を示すブロック図である。
【図２】本発明の実施形態の用紙処理装置の構成を示す構成図である。
【図３】本発明の実施形態の用紙処理装置の主要部の構成を示す構成図である。
【図４】本発明の実施形態の用紙処理装置の動作状態を示す説明図である。
【図５】本発明の実施形態の用紙処理装置の動作状態を示す説明図である。
【図６】本発明の実施形態の用紙処理装置の動作状態を示す説明図である。
【図７】本発明の実施形態の用紙処理装置の動作状態を示す説明図である。
【図８】本発明の実施形態の用紙処理装置の動作を示すフローチャートである。
【図９】本発明の実施形態の用紙処理装置の搬送速度の制御を示す説明図である。
【図１０】本発明の実施形態の用紙処理装置の操作画面の一例を示す説明図である。
【図１１】本発明の実施形態の用紙処理装置の制御状態を示す特性図である。
【図１２】本発明の実施形態の用紙処理装置の制御状態を示す特性図である。
【図１３】本発明の実施形態の用紙処理装置の動作を示すフローチャートである。
【図１４】本発明の実施形態の用紙処理装置の制御状態を示す特性図である。
【発明を実施するための形態】
【００２５】
以下、図面を参照して本発明を実施するための形態（以下、実施形態）を詳細に説明する。
【００２６】
〔画像形成システムの構成〕
図１−図３を参照して、本実施の形態に係る用紙処理装置を備える画像形成システムの構成について説明する。
【００２７】
図１と図２とに示すように、この画像形成システムは、画像形成装置１００と、反転搬送装置２００と、用紙処理装置３００と、用紙処理装置４００と、を有する具体例を示している。なお、この画像形成システムの構成は一例であり、この接続台数や接続構成に限定されるものではない。
【００２８】
画像形成装置１００は、画像形成装置１００内の各部を制御すると共に用紙処理装置としてシステム全体を制御する制御部１０１と、接続されている他の装置と通信するための通信部１０２と、操作者による操作入力に応じた操作入力信号を制御部１０１に通知すると共に画像形成装置１００の状態表示とを行う操作表示部１０３と、制御プログラム及び各種設定データを記憶すると共に制御プログラムのワークエリアとして使用される記憶部１０４と、収容されている用紙を給紙する給紙部１０５と、給紙され画像形成される用紙を所定速度で搬送する搬送部１１０と、原稿をスキャンして画像データを生成する原稿読込部１２０と、画像形成する際のイメージデータや各種データを記憶する画像データ記憶部１３０と、画像形成に必要な各種画像処理を実行する画像処理部１４０と、画像形成命令とイメージデータとに基づいて画像形成（印刷）を実行する画像形成部１５０と、を備えて構成されている。なお、画像形成装置１００で画像形成された用紙は、後段の反転搬送装置２００に向けて搬出される。
【００２９】
反転搬送装置２００は、画像形成装置１００の後段であって用紙処理装置３００の前段に接続されており、反転搬送装置２００内の各部を制御する制御部２０１と、画像形成装置１００や用紙処理装置３００と通信するための通信部２０２と、制御プログラム及び各種設定データを記憶すると共に制御プログラムのワークエリアとして使用される記憶部２０４と、用紙を所定速度で搬送する搬送部２１０と、画像形成装置１００からの用紙を反転させて後段に送り出す反転部２２０と、反転された用紙を整合する整合部２３０と、を備えて構成される。
【００３０】
用紙処理装置３００は、画像形成装置１００や反転搬送装置２００の後段に接続された後処理装置であり、用紙処理装置３００内の各部を制御する制御部３０１と、画像形成装置１００や反転搬送装置２００と通信するための通信部３０２と、制御プログラム及び各種設定データを記憶すると共に制御プログラムのワークエリアとして使用される記憶部３０４と、後処理された用紙束を排出させる排出経路を選択する排出経路選択部３０５と、用紙を所定速度で搬送する用紙束搬送部３１０と、用紙を中折り又は３つ折りに折る折り部３２０と、後処理のために用紙を重ね合わせて用紙束とする重ね合わせ部３３０と、折り部３２０で折られて重ね合わせ部３３０で重ね合わされた用紙束に後処理として中綴じを施す中綴じ部３４０と、用紙束の状態で搬送する用紙束搬送部３５０と、用紙束搬送部３５０により搬送される用紙束を押さえる用紙束押さえ部３６０と、用紙束の小口部分を断裁する断裁部３７０と、用紙束を排出する冊子排出部３８０と、を備えて構成される。
【００３１】
用紙処理装置４００は、用紙処理装置３００の後段に接続された後処理装置であり、用紙処理装置４００内の各部を制御する制御部４０１と、画像形成装置１００や用紙処理装置３００と通信するための通信部４０２と、制御プログラム及び各種設定データを記憶すると共に制御プログラムのワークエリアとして使用される記憶部４０４と、後処理された用紙束を排出させる排出経路を選択する排出経路選択部４０５と、用紙を所定速度で搬送する搬送部４１０と、用紙束にステープルを施すステープル部４２０と、メイントレイを排出先として用紙を排出するメイントレイ排出部４４０と、サブトレイを排出先として用紙を排出するサブトレイ排出部４５０と、を備えて構成される。
【００３２】
なお、図１と図２における、画像形成装置１００、反転搬送装置２００、用紙処理装置３００、用紙処理装置４００の接続は画像形成システムの一例であって、このような接続に限定されるものではない。例えば、反転搬送装置２００を、用紙処理装置３００に内蔵させることも可能である。
【００３３】
また、図２や図３の機械的構成において、主要部の原理的構成を中心に示しており、既知の用紙搬送や整合などについては、省略した状態で示している。
【００３４】
また、図２おいて、画像形成装置１００からＸ方向に搬送されてきた用紙を、用紙処理装置４００で後処理する場合には、そのままＸ方向に搬送しつつ後処理を実行して排出する。
【００３５】
一方、用紙処理装置３００において後処理を実行する場合は、図２に示す折り部３２０において、下方から折りナイフで用紙を突き上げつつ、２つのローラで用紙と折りナイフとを挟み込むことで、Ｙ方向を稜線とした折り目を形成して中折りを実行する。そして、この中折りした用紙を、Ｙ方向に搬送しつつ、重ね合わせ部３３０で重ね合わせて用紙束とする。この用紙束に対して中綴じ部３４０でステープル処理により中綴じを実行する。さらに、この用紙束をＹ方向に搬送して用紙束搬送部３５０の載置部３５１に載せ、この用紙束搬送部３５０で用紙束を−Ｘ方向に搬送して断裁部３７０に送る。
【００３６】
このように、画像形成によりＸ方向に搬送されていた用紙に対して、Ｙ方向の折り目を形成して用紙束とするとともに、この用紙束を折り目に平行するＹ方向に搬送して中綴じを施すことで、後処理の実行効率が高まり、画像形成システムとして生産性を高めることが可能になる。
【００３７】
また、図３の斜視図では、用紙処理装置３００の部位３００Ｂにおいて、断裁部３７０で小口処理された用紙束が冊子排出部３８０から排出される様子を模式的に示している。ここでは、冊子送出部３８０ａは、制御部３０１の制御にしたがって用紙束を送り出すように挟持搬送するローラにより構成されている。また、排出搬送部３８０ｂは、用紙束を搬送する幅広の無端ベルトと駆動するローラを備えて構成されている。
【００３８】
また、用紙束搬送部３５０は、図４に示されるように、用紙束Ｐｐの折り目の劣角（１８０°未満の角）の部分を下から支える鞍形状の載置部３５１を備えている。そして、重ね合わせ部３３０からＹ方向に送られてくる用紙束Ｐｐを鞍形状の載置部３５１に載置した状態（図５参照）で、載置部３５１を駆動部３５５により−Ｘ方向あるいはＸ方向に駆動することで、用紙束を断裁部３７０に向けて搬送する（図６−図７参照）。
【００３９】
そして、用紙束搬送部３５０が用紙束Ｐｐを搬送する際には、所定の条件の場合に、制御部３０１の制御に基づいて、用紙束押さえ部３６０の押さえレバー３６２が用紙束Ｐｐを上から載置部３５１に押さえつける。そして、用紙束押さえ部３６０は、駆動部３６５の駆動により、用紙束搬送部３５０と一体に、−Ｘ方向あるいはＸ方向に移動する（図６−図７参照）。
【００４０】
なお、駆動部３５５と駆動部３６５については、公知の各種の機構を採用することができるため、詳細については省略する。
【００４１】
また、用紙押さえ部３６０において押さえレバー３６２が１本で用紙束Ｐｐの折り目中央付近を押さえている状態を具体例として示しているが、これに限定されるものではない。例えば、押さえレバー３６２は２本又は３本といった複数本であっても良いし、広い面で押さえるような形状であっても良い。また、押さえレバー３６２や支柱３６１の形状や駆動機構については、各種の変更が可能である。
【００４２】
〔動作（１）〕
以下、図８のフローチャートを参照して、本実施形態の画像形成システムにおける用紙処理装置３００の動作についての説明を行う。
【００４３】
画像形成装置１００において画像形成が開始されると、用紙処理装置３００の制御部３０１は、画像形成についての情報（画像形成情報：紙種、用紙サイズ、斤量、搬送速度など）と後処理についての処理モードに関連する情報（後処理モード情報：用紙束を構成する用紙枚数、折り有無、折り種類、綴じ選択有無、断裁選択有無など）を制御部１０１に対して要求する。
【００４４】
これに対して制御部１０１は、ジョブ情報から用紙処理装置３００に関連する画像形成情報と後処理モード情報とを制御部３０１に通知する。
【００４５】
画像形成情報と後処理モード情報を受信した制御部３０１は、実行する後処理の折り種類が「三つ折り」であるか「中折り」であるかを判断する。ここでは、用紙処理装置３００として、中折り〜中綴じ〜断裁〜排出、または、中折り〜断裁〜排出を行う場合を具体例にする。
【００４６】
なお、用紙処理装置３００内では、画像形成装置１００から送られてきた用紙を、画像形成装置１００の用紙排出間隔に合わせて用紙束搬送部３１０が図２のＸ方向に搬送する。そして、折り部３２０、重ね合わせ部３３０、中綴じ部３４０により、中折りや中綴じをして重ね合わせた状態の用紙束として、Ｙ方向に搬送する。更に、用紙束搬送部３５０が、用紙束を断裁部３７０に向けて−Ｘ方向に搬送する。
【００４７】
ここで、制御部３０１は、画像形成情報と後処理情報から用紙束に適した状態の、用紙処理装置３００内における用紙束搬送部３５０を用いた通常の用紙束搬送速度を決定する（図８中のステップＳ１０１）。なお、この実施形態において、「用紙束搬送速度」とは、載置部３５１に載置された状態の用紙束の搬送における移動速度を意味する。
【００４８】
なお、用紙束の搬送については、搬送の際に受ける風圧で用紙束が乱れる可能性があるので、搬送時における用紙束の重ね合わせ状態の乱れを防止しつつ搬送性能を維持可能な用紙束搬送速度を、画像形成情報や後処理モード情報を参照して制御部３０１が決定する。
【００４９】
制御部３０１は、中折りされる用紙束について、図９に示すように、中綴じの有無、用紙束を構成する用紙枚数、斤量、用紙面積、紙種（滑りやすいか否か）などの各種条件を考慮して、搬送時に受ける風圧による用紙束の乱れやすさを判断し、用紙束が乱れない搬送速度を決定する。
【００５０】
なお、ここで、用紙束搬送速度の高速／中速／低速は、用紙処理装置３００内における相対値である。このため、実際の数値は任意に定めることができる。また、用紙束搬送速度は、３段階以外に制御することも可能である。また、滑りやすさは、湿度等の環境条件に影響を受けることがある。例えば、低湿度では滑りやすくなり、逆に高湿度では滑り難くなる。そこで、用紙処理装置３００内に湿度センサを設け、用紙束の状態として環境条件（低湿度／中湿度／高湿度）を判断項目に加えることが可能である。
【００５１】
また、制御部３０１は、用紙処理の生産性として、以上の用紙束搬送速度に応じて定まる用紙束搬送部３５０の往復に要する搬送必要時間を求める（図８中のステップＳ１０２）。この搬送必要時間は、初期位置（図４）にある載置部３５１が、駆動部３５５により駆動されて、用紙束を断裁部３７０に渡して（図７）、再び初期位置（図４）に戻るのに要する時間であり、一定距離を移動するため、用紙束搬送速度により定まる。
【００５２】
また、制御部３０１は、制御部１０１からの画像形成情報を参照し、用紙束を構成する枚数の用紙が、画像形成装置１００から用紙処理装置３００に供給されてくる時間としての搬送時間間隔を求める。なお、この搬送時間間隔は、画像形成装置１００の用紙排出間隔×用紙束を構成する用紙枚数、で定まる。
【００５３】
例えば、載置部３５１の用紙束搬送速度が低速では片道５秒、載置部３５１の用紙束搬送速度が中速では片道３秒、載置部３５１の用紙束搬送速度が高速では片道１秒、であるとする。なお、載置部３５１が用紙束を断裁部３７０に渡して復帰する際には、高速１秒であるとする。この場合、載置部３５１の用紙束搬送速度が低速での搬送必要時間は６秒（往５秒＋復１秒）、中速での搬送必要時間４秒（往３秒＋復１秒）、高速での搬送必要時間は２秒（往１秒＋復１秒）、になる。
【００５４】
また、例えば、画像形成装置１００が１分あたり１２０枚の用紙に画像を形成して出力する場合には、用紙排出間隔が０．５秒となる。この場合に、用紙２０枚からなる用紙束の場合の搬送時間間隔は０．５秒×２０＝１０．０秒、用紙１０枚の用紙束の場合の搬送時間間隔は０．５秒×１０＝５．０秒、用紙７枚の用紙束の場合の搬送時間間隔は０．５秒×７＝３．５秒、となる。
【００５５】
そして、制御部３０１は、以上の搬送必要時間と搬送時間間隔とから、用紙処理装置３００の用紙処理が原因となって画像形成システム全体の生産性を低下させるか否かを判断する（図８中のステップＳ１０３）。
【００５６】
この場合、搬送必要時間が搬送時間間隔よりも大きければ生産性が低下することになる。例えば、搬送時間間隔が５秒の場合であれば、用紙束搬送速度が低速で搬送必要時間が６秒であると、生産性が低下することになる。また、例えば、搬送時間間隔が５秒の場合であっても、用紙束搬送速度が中速で搬送必要時間が４秒であると、生産性が低下しないことになる。
【００５７】
用紙処理装置３００により生産性が低下しない場合（図８中のステップＳ１０３でＮＯ）、制御部３０１は、用紙処理において用紙束の品質を重視する設定、あるいは、用紙処理において用紙束の処理時の静音性を重視する設定のいずれかが設定されているかを調べる（図８中のステップＳ１０４）。
【００５８】
この実施形態では、用紙束搬送部３５０が用紙束Ｐｐを搬送する際に用紙束押さえ部３６０の押さえレバー３６２が用紙束Ｐｐを上から載置部３５１に押さえつける動作をすることがある。この動作により動作音が発生して静音性が低下したり、押さえによって用紙束に押さえ跡が残って品質が低下する可能性がある。
【００５９】
そこで、この実施形態において、用紙束の品質を重視する設定、あるいは、用紙処理において用紙束の処理時の静音性を重視する設定とは、具体的には、用紙処理装置での用紙処理において用紙束搬送部３５０で用紙束を搬送する際に、用紙束押さえ部３６０を動作させないことを含む処理モードを意味する。
【００６０】
なお、この実施形態では、用紙処理において用紙束の品質を重視する設定、あるいは、用紙処理において用紙束の処理時の静音性を重視する設定については、それぞれ別の２種類の設定であってもよいし、１種類の同じ設定であってもよい。なお、図１０の設定画面においては、用紙処理において用紙束の品質を重視する設定、用紙処理において用紙束の処理時の静音性を重視する設定が、１種類の同じ設定である場合を示している。
【００６１】
たとえば、制御部１０１は画像形成の設定を受け付ける際に、操作表示部１０３の表示画面に図１０に示す設定画面を表示し、操作者から用紙束の品質や処理の静音性を重視する設定（図１０（ａ））を受け付ける。図１０（ｂ）のアイコンがクリックされ、「ＯＫ」ボタンが押下された場合には、用紙束の品質や処理の静音性を重視する設定がなされたことになり、制御部１０１は制御部３０１に対して、後処理モード情報の一部として通知する。
【００６２】
用紙処理装置３００により生産性が低下しない場合（図８中のステップＳ１０３でＮＯ）であって、用紙処理において用紙束の品質や静音性を重視する設定がなされていない場合（図８中のステップＳ１０４でＮＯ）には、制御部３０１は、用紙束押さえ部３６０を動作させた状態で、ステップＳ１０１で決定された用紙束搬送速度よりも高速側の高速用紙束搬送速度に変更した場合における用紙束搬送部３５０の生産性、すなわち載置部３５１の往復に要する高速搬送必要時間を求める（図８中のステップＳ１０５）。
【００６３】
そして、制御部３０１は、用紙束押さえを実行して高速用紙束搬送速度に変更することで、生産性が改善するか、すなわち、用紙押さえ有りの高速搬送必要時間が、用紙押さえ無しの搬送必要時間より短くなっているかを判定する（図８中のステップＳ１０６）。なお、このステップＳ１０６の判断においては、何らかの処理の時間に余裕ができることを、生産性が改善するとして扱うことにする。
【００６４】
図１１は、用紙束押さえない状態で低速にて搬送した状態（一点鎖線）、用紙束押さえない状態で中速にて搬送した状態（二点鎖線）、用紙束押さえた状態で高速にて搬送した状態（実線）について、縦軸には載置部の位置を示し、横軸には搬送必要時間を示している。図１１の具体例では、用紙束搬送速度が低速での搬送必要時間は６秒（往５秒＋復１秒）、用紙束搬送速度が中速での搬送必要時間４秒（往３秒＋復１秒）、押さえ有りで用紙束搬送速度が高速での高速搬送必要時間３秒（押さえ実行０．５秒＋往１秒＋押さえ解除０．５秒＋復１秒）、になる。すなわち、用紙束搬送速度が低速あるいは中速である場合には、用紙束押さえを実行して高速用紙束搬送速度に変更することで、生産性が改善する（図８中のステップＳ１０６でＹＥＳ）。
【００６５】
また、用紙束押さえを実行して中速の用紙束搬送速度にすることで、搬送必要時間は５秒（押さえ実行０．５秒＋往３秒＋押さえ解除０．５秒＋復１秒）になるため、用紙束搬送速度が低速である場合には生産性が改善する（図８中のステップＳ１０６でＹＥＳ）。
【００６６】
すなわち、用紙束押さえを実行すると共に用紙束搬送速度を変更することで生産性が改善する場合（図８中のステップＳ１０６でＹＥＳ）には、制御部３０１は、用紙束搬送部３５０の用紙束搬送の際に用紙束押さえ部３６０の押さえを有りに設定する（図８中のステップＳ１０７）と共に、用紙束搬送部３５０の用紙束搬送速度を生産性が改善する高速用紙束搬送速度に設定する（図８中のステップＳ１０８）。なお、このステップＳ１０８の高速用紙束搬送速度としては、ステップＳ１０６で生産性改善ありと判定される用紙束搬送速度であり、中速の用紙束搬送速度も含まれる。
【００６７】
そして、制御部３０１は、以上の設定（用紙束押さえ部３６０により押さえ有り、用紙束搬送速度を高速側に変更）によって用紙束搬送部３５０で用紙束を搬送するようにして（図８中のステップＳ１０９）、用紙処理装置３００での用紙処理を制御する。
【００６８】
また、用紙束品質や処理時静音性を重視する設定がなされている場合（図８中のステップＳ１０４でＹＥＳ）には、用紙束押さえ部３６０の動作音や押さえ跡を避けるため、制御部３０１は、用紙束搬送部３５０の用紙束搬送の際に用紙束押さえ部３６０の押さえを無しに設定する（図８中のステップＳ１１０）と共に、画像形成情報と後処理情報から決定（図８中のステップＳ１０１）された用紙束に適した通常の用紙束搬送速度に設定する（図８中のステップＳ１１１）。
【００６９】
また、用紙束品質や処理時静音性を重視する設定がなされておらず（図８中のステップＳ１０４でＮＯ）、用紙束押さえを実行すると共に用紙束搬送速度を高速側に変更することでも生産性が改善しない場合（図８中のステップＳ１０６でＮＯ）においては、制御部３０１は、用紙束搬送部３５０の用紙束搬送の際に用紙束押さえ部３６０の押さえを無しに設定する（図８中のステップＳ１１０）と共に、画像形成情報と後処理情報から決定（図８中のステップＳ１０１）された用紙束に適した通常の用紙束搬送速度に設定する（図８中のステップＳ１１１）。
【００７０】
そして、制御部３０１は、以上の設定（用紙束押さえ部３６０により押さえ無し、通常の用紙束搬送速度）によって用紙束搬送部３５０で用紙束を搬送するようにして（図８中のステップＳ１１２）、用紙処理装置３００での用紙処理を制御する。
【００７１】
また、用紙処理装置３００の用紙処理が原因となって画像形成システム全体の生産性を低下させるか否かを判断して（図８中のステップＳ１０３）、用紙処理装置３００により生産性が低下する場合（図８中のステップＳ１０３でＹＥＳ）、制御部３０１は、用紙束押さえ部３６０を動作させた状態で、ステップＳ１０１で決定された用紙束搬送速度よりも高速側の高速用紙束搬送速度に変更した場合における用紙束搬送部３５０の生産性、すなわち載置部３５１の往復に要する高速搬送必要時間を求める（図８中のステップＳ１１３）。
【００７２】
そして、制御部３０１は、用紙束押さえを実行して高速用紙束搬送速度に変更することで、用紙処理装置３００の用紙処理が原因となる画像形成システム全体の生産性低下が解消するか否かを判断する（図８中のステップＳ１１４）。
【００７３】
この場合、搬送必要時間と搬送時間間隔とを比較し、搬送必要時間が搬送時間間隔以下になれば生産性低下が解消することになる。例えば、搬送時間間隔が５秒の場合に、用紙束搬送速度が低速で搬送必要時間が６秒（図１１の一点鎖線）であって生産性低下であったものが、用紙束押さえ有りで用紙束搬送速度を高速側に変更して搬送必要時間が３秒（図１１の実線）になれば、生産性低下が解消することになる（図８中のステップＳ１１４でＹＥＳ）。また、図１１には示されていないが、用紙束押さえを実行して中速の用紙束搬送速度の場合には搬送必要時間は５秒（押さえ実行０．５秒＋往３秒＋押さえ解除０．５秒＋復１秒）になるため、搬送時間間隔が５秒の場合に生産性低下が解消することになる（図８中のステップＳ１１４でＹＥＳ）。
【００７４】
すなわち、用紙束押さえを実行すると共に用紙束搬送速度を変更することで生産性低下が解消する場合（図８中のステップＳ１１４でＹＥＳ）には、制御部３０１は、用紙束搬送部３５０の用紙束搬送の際に用紙束押さえ部３６０の押さえを有りに設定する（図８中のステップＳ１１５）と共に、生産性低下が解消する速度に用紙束搬送部３５０の用紙束搬送速度を設定する（図８中のステップＳ１１６）。
【００７５】
そして、制御部３０１は、以上の設定（用紙束押さえ部３６０により押さえ有り、用紙束搬送速度を高速側に変更）によって用紙束搬送部３５０で用紙束を搬送するようにして（図８中のステップＳ１１７）、用紙処理装置３００での用紙処理を制御する。
【００７６】
また、用紙束押さえを実行すると共に用紙束搬送速度を高速側に変更することでも生産性低下が解消しない場合（図８中のステップＳ１１４でＮＯ）においては、制御部３０１は、用紙束押さえを実行して高速用紙束搬送速度に変更した場合の高速搬送必要時間と、用紙押さえ無しの通常の搬送必要時間とを比較する（図８中のステップＳ１１８）。すなわち、用紙処理装置３００により生産性が低下し（図８中のステップＳ１０３でＹＥＳ）、用紙束押さえを実行すると共に用紙束搬送速度を高速側に変更することでも生産性低下が解消しない（図８中のステップＳ１１４でＮＯ）ため、その範囲内で、押さえ有りの高速搬送必要時間と通常の搬送必要時間とのどちらが短時間で生産性が高いかを求める。
【００７７】
ここで、押さえ無しで通常の搬送必要時間が、押さえ有りの高速搬送必要時間より短時間で生産性が高い場合（図１２参照）には（図８中のステップＳ１１８でＹＥＳ）、制御部３０１は、用紙束搬送部３５０の用紙束搬送の際に用紙束押さえ部３６０の押さえを無しに設定する（図８中のステップＳ１１９）と共に、画像形成情報と後処理情報から決定（図８中のステップＳ１０１）された用紙束に適した通常の用紙束搬送速度に設定する（図８中のステップＳ１２０）。
【００７８】
なお、図１２に示す例は、図１１とは搬送必要時間が異なる場合を示しているが、押さえ有りの高速用紙束搬送速度に変更しても、押さえ実行と押さえ解除との時間に起因して、通常の搬送必要時間が、押さえ有りの高速搬送必要時間より短時間で生産性が高くなる場合を示している。
【００７９】
そして、制御部３０１は、以上の設定（用紙束押さえ部３６０により押さえ無し、通常の用紙束搬送速度）によって用紙束搬送部３５０で用紙束を搬送するようにして（図８中のステップＳ１２１）、用紙処理装置３００での用紙処理を制御する。なお、この場合には、制御部３０１は制御部１０１に対して、用紙処理に起因する生産性低下を通知する。これを受けた制御部１０１は、搬送時間間隔が搬送必要時間以上になるように、画像形成装置１００側の生産性を低下させるように制御する。
【００８０】
また、用紙束押さえを実行すると共に用紙束搬送速度を高速側に変更することでも生産性低下が解消しない場合（図８中のステップＳ１１４でＮＯ）であり、押さえ有りの高速搬送必要時間が、通常の搬送必要時間より短時間で生産性が高い場合には（図８中のステップＳ１１８でＮＯ）、制御部３０１は、用紙束搬送部３５０の用紙束搬送の際に用紙束押さえ部３６０の押さえを有りに設定する（図８中のステップＳ１２２）と共に、用紙束搬送部３５０の用紙束搬送速度を生産性が改善する高速用紙束搬送速度に設定する（図８中のステップＳ１２３）。
【００８１】
そして、制御部３０１は、以上の設定（用紙束押さえ部３６０により押さえ有り、用紙束搬送速度を高速側に変更）によって用紙束搬送部３５０で用紙束を搬送するようにして（図８中のステップＳ１２４）、用紙処理装置３００での用紙処理を制御する。なお、この場合にも、制御部３０１は制御部１０１に対して、用紙処理装置３００に起因する生産性低下を通知する。これを受けた制御部１０１は、搬送時間間隔が搬送必要時間以上になるように、画像形成装置１００側の生産性を低下させるように制御する。
【００８２】
〔動作（２）〕
以上の動作（１）で説明した実施形態では、画像形成情報と後処理情報から決定された通常の用紙束搬送速度で搬送するか、用紙束押さえを実行すると共に用紙束搬送速度を高速側に変更して搬送するか、のいずれか一方を実行していた。
【００８３】
そして、用紙束押さえを実行すると共に用紙束搬送速度を高速側に変更して搬送する場合には、用紙束押さえ部３６０の押さえレバー３６２が用紙束Ｐｐを上から載置部３５１に押さえつけてから、用紙束搬送部３５０の搬送を開始するように制御していた。
【００８４】
これに対し、用紙束押さえを実行すると共に用紙束搬送速度を高速側に変更して搬送する場合に、制御部３０１は、図１３と図１４に示す制御を切り替えて用いることが可能である。
【００８５】
制御部３０１は、用紙束について、中綴じの有無、用紙束を構成する用紙枚数、斤量、用紙面積、紙種（滑りやすいか否か）、搬送時に受ける風圧などの各種条件を考慮して、用紙束の乱れにくさを判断する（図１３中のステップＳ２０１）。ここで、乱れにくいとは、滑り難い用紙や比較的厚い用紙を用いた場合などで、風圧によっても用紙束が影響を受けにくい場合などを意味する。
【００８６】
制御部３０１は、用紙束について、搬送時に受ける風圧などによって用紙束が乱れにくいとは言えない判断した場合（図１３中のステップＳ２０１でＮＯ）、用紙束押さえ部３６０の押さえレバー３６２により用紙束Ｐｐを上から載置部３５１に押さえつけて（図１３中のステップＳ２０２）、用紙束搬送部３５０を高速用紙束搬送速度で搬送を開始するように制御する（図１３中のステップＳ２０３、図１４の破線）。
【００８７】
一方、制御部３０１は、用紙束について、搬送時に受ける風圧などによって用紙束が乱れにくいと判断した場合（図１３中のステップＳ２０１でＹＥＳ）、制御部３０１は、画像形成情報と後処理情報から決定（図８中のステップＳ１０１）された用紙束に適した通常の用紙束搬送速度により搬送を開始し（図８中のステップＳ２０４）、この搬送実行中に用紙束押さえ部３６０の押さえレバー３６２により用紙束Ｐｐを上から載置部３５１に押さえつけるよう制御する（図１３中のステップＳ２０５、図１４の実線（ａ）領域）。そして、制御部３０１は、用紙束押さえ部３６０の押さえレバー３６２により用紙束Ｐｐを上から載置部３５１に押さえつけてから、用紙束搬送部３５０を高速用紙束搬送速度で搬送を開始するように制御する（図１３中のステップＳ２０６、図１４の実線（ｂ）領域）。
【００８８】
この場合、用紙束押さえ部３６０の押さえレバー３６２により用紙束Ｐｐを上から載置部３５１に押さえつけるのは、通常の用紙束搬送速度により搬送中であるため、用紙束の乱れも発生しにくい。また、停止中ではなく、通常の用紙束搬送速度により搬送中に、用紙束押さえ部３６０の押さえレバー３６２より用紙束Ｐｐを上から載置部３５１に押さえつけるので、図１４実線の特性に示すように、搬送必要時間を短縮することが可能になる。
【００８９】
また、この図１４実線のように搬送時間を短縮する動作については、用紙束押さえを実行すると共に用紙束搬送速度を高速側に変更することでも生産性低下が解消しない場合（図８中のステップＳ１１４でＮＯ）などに用いることで、用紙処理装置３００の用紙束搬送に起因する生産性低下を解消できる可能性が生じる。
【００９０】
〔その他の実施形態〕
以上の実施形態では、Ｘ方向に画像形成された用紙を搬送している画像形成システムにおいて、Ｙ方向を稜線とした折り目を付した用紙束を用紙束搬送部３５０により−Ｘ方向に搬送するとしていたが、用紙の搬送方向や折りの方向はこれに限定されるものではない。
【００９１】
また、以上の説明で、用紙束搬送部３５０は鞍形状の載置部３５１を図示したが、平面台形状の載置部を用いることも可能である。この場合、平面台形状の載置部に、用紙束の折り目に合わせた凸部を設けるようにしてもよい。
【符号の説明】
【００９２】
１００  画像形成装置
１０１  制御部
１０２  通信部
１０３  操作表示部
１３０  画像データ記憶部
１４０  画像処理部
１５０  画像形成部
２００  反転搬送装置
２０１  制御部
２０２  通信部
２１０  搬送部
２２０  反転部
２３０  整合部
３００  用紙処理装置
３０１  制御部
３０２  通信部
３１０  用紙束搬送部
３２０  折り部
３３０  重ね合わせ部
３４０  中綴じ部
３５０  用紙束搬送部
３６０  用紙束押さえ部
４００  用紙処理装置
【図１】
2013216449.tif 000003
【図２】
2013216449.tif 000004
【図３】
2013216449.tif 000005
【図４】
2013216449.tif 000006
【図５】
2013216449.tif 000007
【図６】
2013216449.tif 000008
【図７】
2013216449.tif 000009
【図８】
2013216449.tif 000010
【図１１】
2013216449.tif 000011
【図１２】
2013216449.tif 000012
【図１３】
2013216449.tif 000013
【図１４】
2013216449.tif 000014
【図９】
2013216449.tif 000015
【図１０】
2013216449.tif 000016